(57)【要約】【課題】ヒューマンエラーによる作業の中断や遅延を防止して、電気負荷のＮＦＢの操作をともなう作業を安全かつ円滑におこない、作業時などの一時的な操作にともなう通常状態への復旧忘れを防止すること。【解決手段】記憶部２０１の記憶内容に基づいて、クレーンのＮＦＢが通常動作状態であるか否かに応じて異なる態様の報知をおこなうスイッチ操作監視装置１００を構成した。これにより、天井クレーンを用いた作業をおこなう作業者に対して、当該天井クレーンのＮＦＢ２１２が通常動作状態であるか否かを容易かつ確実に案内することができ、天井クレーンのＮＦＢ２１２を「入」状態とする、すなわち、クレーンを通常動作状態以外の状態にする作業者に対して、当該天井クレーンの操作の前に火災報知器のＮＦＢ２１１を「切」状態にするよう注意喚起することができる。【選択図】図２
2014192059.tif 000002
【特許請求の範囲】
【請求項１】
所定の電気負荷と当該電気負荷に電気を供給する電源との間に設けられ、当該電源から当該電気負荷へ電気を供給する供給状態と当該電源から当該電気負荷への電気の供給を遮断する遮断状態とを選択的に切り替え可能な負荷電源スイッチの通常動作状態が供給状態であるか遮断状態であるかを記憶する記憶手段と、
前記記憶手段の記憶内容に基づいて、前記負荷電源スイッチが通常動作状態であるか否かを判断する状態判断手段と、
前記状態判断手段の判断結果に基づいて、前記負荷電源スイッチが通常動作状態であるか否かに応じて異なる態様の報知をおこなう態様報知手段と、
を備えたことを特徴とするスイッチ操作監視装置。
【請求項２】
前記態様報知手段は、前記負荷電源スイッチが通常動作状態である場合に第１の発光色で発光し、前記負荷電源スイッチが通常動作状態以外の状態である場合に第２の発光色で発光することにより、前記負荷電源スイッチが通常動作状態であるか否かを報知することを特徴とする請求項１に記載のスイッチ操作監視装置。
【請求項３】
前記態様報知手段は、前記負荷電源スイッチが通常動作状態である場合に第１の発光部を発光させ、前記負荷電源スイッチが通常動作状態以外の状態である場合に第２の発光部を発光させることにより、前記負荷電源スイッチが通常動作状態であるか否かを報知することを特徴とする請求項１に記載のスイッチ操作監視装置。
【請求項４】
前記態様報知手段は、前記負荷電源スイッチが通常動作状態である場合に第１の発光態様で発光し、前記負荷電源スイッチが通常動作状態以外の状態である場合に第２の発光態様で発光することにより、前記負荷電源スイッチが通常動作状態であるか否かを報知することを特徴とする請求項１に記載のスイッチ操作監視装置。
【請求項５】
前記状態判断手段は、所定の異常を検出した場合に外部装置に警報信号を出力する電気負荷である警報装置と電源との間に設けられて前記供給状態を通常動作状態とする第１の負荷電源スイッチが通常動作状態であるか否かを判断する第１の状態判断手段と、前記警報装置とは別の電気負荷と電源との間に設けられた第２の負荷電源スイッチが通常動作状態であるか否かを判断する第２の状態判断手段と、を備え、
前記第２の負荷電源スイッチの所定範囲内に所在する人体の有無を判断する所在判断手段と、
前記第１の状態判断手段が通常動作状態であると判断し、かつ、前記所在判断手段が前記第２の負荷電源スイッチの所定範囲内に人体が所在すると判断した場合、当該第２の負荷電源スイッチの周囲に警告用の音声を出力する警告音声出力手段と、
を備えたことを特徴とする請求項１〜４のいずれか一つに記載のスイッチ操作監視装置。
【請求項６】
前記警告音声出力手段は、前記所在判断手段が前記第２の負荷電源スイッチの所定範囲内に所在する人体がないと判断した場合、前記第１の状態判断手段の判断結果にかかわらず、警告用の音声を出力しないことを特徴とする請求項５に記載のスイッチ操作監視装置。
【請求項７】
前記第２の負荷電源スイッチが通常動作状態以外の状態から通常動作状態に切り替わったことを検出する切り替え検出手段を備え、
前記警告音声出力手段は、前記切り替え検出手段が遮断状態に切り替わったことを検出した場合に、前記第２の負荷電源スイッチの周囲に前記第１の負荷電源スイッチを通常動作状態とすることを促す案内用の音声を出力することを特徴とする請求項６に記載のスイッチ操作監視装置。
【請求項８】
前記状態判断手段の判断結果に基づいて、前記第１の負荷電源スイッチが通常動作状態以外の状態に切り替わってからの経過時間を計時する計時手段と、
前記計時手段が計時する経過時間が所定時間に達したか否かを判断する経過時間判断手段と、を備え、
前記警告音声出力手段は、前記経過時間判断手段が前記経過時間が所定時間に達したと判断し、かつ、前記第２の状態判断手段が前記第２の負荷電源スイッチが通常動作状態でないと判断した場合、当該経過時間が所定時間に達したことを案内する案内用の音声を出力することを特徴とする請求項５〜７のいずれか一つに記載のスイッチ操作監視装置。
【発明の詳細な説明】
【技術分野】
【０００１】
この発明は、配線用遮断器の動作状態を監視するスイッチ操作監視装置に関する。
【背景技術】
【０００２】
ＮＦＢ（Ｎｏ（Ｎｏｎ）−Ｆｕｓｅ−Ｂｒｅａｋｅｒ）あるいはＮＦＢ遮断器などと称される配線用遮断器（ＭＣＣＢ：Ｍｏｌｄｅｄ−Ｃａｓｅ  Ｃｉｒｃｕｉｔ  Ｂｒｅａｋｅｒ）は、過負荷や短絡などの要因で二次側の回路（電気負荷、電路）に異常な電流が流れた場合に、当該二次側の回路や電線の損傷を回避するため、電路を開放して一次側からの電源供給を遮断する。このような開閉機器であるＮＦＢ遮断器（以下「ＮＦＢ」と称する）は、接続されている電気設備などの電気負荷の電源を「入／切」することができるため、たとえば、電気設備の電源スイッチとしても活用されている。
【０００３】
ＮＦＢは、「入」状態と「切」状態とを切り替えるスイッチを備えている。ＮＦＢが、「入」状態であるか「切」状態であるかは、たとえば、スイッチを目視することによって判断することができる。ＮＦＢにおいては、ＮＦＢに接続された電気設備に応じて、ＮＦＢごとに通常状態が設定されている。常時動作させる電気設備のＮＦＢであれば「入」状態が通常状態とされ、作業時に一時的に電気を使用する電気設備のＮＦＢであれば「切」状態が通常状態とされる。
【０００４】
たとえば、ＮＦＢを、発電所に設けられた光電式の火災報知器の電源スイッチとして用いる場合、当該ＮＦＢは「入」状態が通常状態とされる。また、たとえば、ＮＦＢを、水車・発電機の分解点検などの作業に用いる天井クレーンの電源スイッチとして用いる場合、当該ＮＦＢは「切」状態が通常状態とされる。
【０００５】
従来、ＮＦＢの巡視に際しては、巡視をおこなう作業者が、巡視対象とするＮＦＢのスイッチの位置を目視することによって、当該ＮＦＢが通常状態であるか否かを確認していた。従来、ＮＦＢの状態を確認する作業の一環として、たとえば、ＮＦＢの通常状態を記載したシールを貼り付けたり、ＮＦＢが通常状態ではない場合にスイッチにカバーを被せるなどのルールにしたがって運用したりしていた。
【０００６】
たとえば、受光部における受光量の変化に基づいて火災を感知する光電式の火災報知器が設置された発電所において、天井クレーンを用いた水車・発電機の分解点検などの作業を、火災報知器のＮＦＢを「切」状態にせずにおこなうと、実際に火災が発生していないにもかかわらず天井クレーンの動作によって火災報知器が動作してしまう。このため、このような火災報知器が設置された発電所においては、天井クレーンを動作させる場合に、火災報知器のＮＦＢのスイッチを操作してＮＦＢを「切」状態にする運用がなされている。
【０００７】
電源スイッチの管理に関わる技術として、従来、具体的には、たとえば、充電装置によって充電をおこなう場合に、充電プラグを車両側の充電コネクタに接続すると同時にブザーを鳴らすことによって充電開始スイッチの操作忘れを防止するとともに、充電プラグの接触不良や停電等の場合には、自動的にブザーを鳴らすことによって処置を促すようにした技術があった（たとえば、下記特許文献１を参照。）。
【０００８】
また、従来、具体的には、たとえば、主回路の電源側と負荷側とを開閉する開閉機構部を備え、主回路に規定値以上の電流が流れた場合に開閉機構部を開放するとともに、外部（制御所）に警報信号を報知する遮断器において、主回路に規定値以上の電流が流れていないにもかかわらず開閉機構部が開放状態になった場合に、誤操作であることを外部に報知するようにした技術があった（たとえば、下記特許文献２を参照。）。
【先行技術文献】
【特許文献】
【０００９】
【特許文献１】特開平０５−３０８７３２号公報
【特許文献２】特開２０１１−２２２２１０号公報
【発明の概要】
【発明が解決しようとする課題】
【００１０】
しかしながら、上述した特許文献１に記載された従来の技術は、充電装置における充電電流値を取得する機構、充電電圧に応じて動作するタイマ、タイマが計時する時間に応じて各部を制御する制御機構などを用いるため、構成が複雑化するという問題があった。また、構成の複雑化にともなってコストが増加し、実用性に劣るという問題があった。
【００１１】
また、上述した特許文献２に記載された従来の技術は、誤操作であることが報知されるのは、実際に開閉機構部が開放状態になってからであり、誤操作を防止することができない。発電所においては、不用意に電源が遮断されると発電機の主機の運転に関わる事故に発展することが懸念され、ＮＦＢの誤操作を確実に防止しなくてはならない。
【００１２】
また、上述したように、ＮＦＢのスイッチを目視することによって当該ＮＦＢの状態を判断する方法は、当該ＮＦＢが設置されている現場によっては、狭いあるいは暗いなどの理由によってスイッチを目視しづらい場合があり、迅速な対応が要求される事故遮断時において対象とするＮＦＢが「切」状態であるか否かを確認するために時間がかかってしまうという問題があった。
【００１３】
また、上述したように、ＮＦＢのスイッチを目視することによって当該ＮＦＢの状態を判断する方法は、ＮＦＢのスイッチが切り替わっていても、実際の接続状態が「入」状態および「切」状態が確実に切り替わっていないという状況を目視によって確認することができないという問題があった。このため、電気設備が本来の動作をすることができず、発電所においては発電機を正常な運転／停止状態に復旧させることができないという問題があった。
【００１４】
また、上述したように、ＮＦＢのスイッチを目視することによって当該ＮＦＢの状態を判断する場合、巡視をおこなう作業者は、対象とするＮＦＢの通常状態が「入」状態であるか「切」状態であるかを事前に把握している必要がある。対象とするＮＦＢが設置されている現場に不案内な作業者が、通常状態が「入」状態であるか「切」状態であるかを即時判断することは難しい。このため、ＮＦＢのスイッチを目視することによって当該ＮＦＢの状態を判断する場合、巡視をおこなう作業者が現場を熟知した作業員に限定されやすく、作業性に劣るという問題があった。
【００１５】
また、上記の発電所が平常時は無人である場合、実際に火災が発生していないにもかかわらず天井クレーンの動作によって火災報知器が動作してしまうと、当該発電所における電気機器を遠隔地において監視・制御している制御所において火災発生の警報がなされる。この場合、制御所においては不要な動作であるか否かを判断することができないため、火災報知器の不要な動作による警報であるにもかかわらず、現場における火災発生の有無の確認や消火のための人員を手配するなどしなくてはならず煩わしいという問題があった。
【００１６】
また、上述した従来の技術はいずれも、ＮＦＢのスイッチを通常状態に戻し忘れたことを報知することが難しいという問題があった。ＮＦＢのスイッチを通常状態に戻し忘れた場合、電気設備が本来の動作をすることができず、発電所においては発電機を正常に動作させることができないという問題があった。
【００１７】
この発明は、上述した従来技術による問題点を解消するため、ヒューマンエラーによる作業の中断や遅延を防止して、電気負荷のＮＦＢの操作をともなう作業を安全かつ円滑におこなうことができるスイッチ操作監視装置を提供することを目的とする。
【００１８】
また、この発明は、上述した従来技術による問題点を解消するため、ヒューマンエラーによる作業の中断や遅延を防止して、電気負荷のＮＦＢの状態を確認する作業の効率を向上させ、確認結果の信頼性を向上させることができるスイッチ操作監視装置を提供することを目的とする。
【課題を解決するための手段】
【００１９】
上述した課題を解決し、目的を達成するため、この発明にかかるスイッチ操作監視装置は、所定の電気負荷と当該電気負荷に電気を供給する電源との間に設けられ、当該電源から当該電気負荷へ電気を供給する供給状態と当該電源から当該電気負荷への電気の供給を遮断する遮断状態とを選択的に切り替え可能な負荷電源スイッチの通常動作状態が供給状態であるか遮断状態であるかを記憶する記憶手段と、前記記憶手段の記憶内容に基づいて、前記負荷電源スイッチが通常動作状態であるか否かを判断する状態判断手段と、前記状態判断手段の判断結果に基づいて、前記負荷電源スイッチが通常動作状態であるか否かに応じて異なる態様の報知をおこなう態様報知手段と、を備えたことを特徴とする。
【００２０】
また、この発明にかかるスイッチ操作監視装置は、上記の発明において、前記態様報知手段が、前記負荷電源スイッチが通常動作状態である場合に第１の発光色で発光し、前記負荷電源スイッチが通常動作状態以外の状態である場合に第２の発光色で発光することにより、前記負荷電源スイッチが通常動作状態であるか否かを報知することを特徴とする。
【００２１】
また、この発明にかかるスイッチ操作監視装置は、上記の発明において、前記態様報知手段が、前記負荷電源スイッチが通常動作状態である場合に第１の発光部を発光させ、前記負荷電源スイッチが通常動作状態以外の状態である場合に第２の発光部を発光させることにより、前記負荷電源スイッチが通常動作状態であるか否かを報知することを特徴とする。
【００２２】
また、この発明にかかるスイッチ操作監視装置は、上記の発明において、前記態様報知手段が、前記負荷電源スイッチが通常動作状態である場合に第１の発光態様で発光し、前記負荷電源スイッチが通常動作状態以外の状態である場合に第２の発光態様で発光することにより、前記負荷電源スイッチが通常動作状態であるか否かを報知することを特徴とする。
【００２３】
また、この発明にかかるスイッチ操作監視装置は、上記の発明において、前記状態判断手段が、所定の異常を検出した場合に外部装置に警報信号を出力する電気負荷である警報装置と電源との間に設けられて前記供給状態を通常動作状態とする第１の負荷電源スイッチが通常動作状態であるか否かを判断する第１の状態判断手段と、前記警報装置とは別の電気負荷と電源との間に設けられた第２の負荷電源スイッチが通常動作状態であるか否かを判断する第２の状態判断手段と、を備え、前記第２の負荷電源スイッチの所定範囲内に所在する人体の有無を判断する所在判断手段と、前記第１の状態判断手段が通常動作状態であると判断し、かつ、前記所在判断手段が前記第２の負荷電源スイッチの所定範囲内に人体が所在すると判断した場合、当該第２の負荷電源スイッチの周囲に警告用の音声を出力する警告音声出力手段と、を備えたことを特徴とする。
【００２４】
また、この発明にかかるスイッチ操作監視装置は、上記の発明において、前記警告音声出力手段が、前記所在判断手段が前記第２の負荷電源スイッチの所定範囲内に所在する人体がないと判断した場合、前記第１の状態判断手段の判断結果にかかわらず、警告用の音声を出力しないことを特徴とする。
【００２５】
また、この発明にかかるスイッチ操作監視装置は、上記の発明において、前記第２の負荷電源スイッチが通常動作状態以外の状態から通常動作状態に切り替わったことを検出する切り替え検出手段を備え、前記警告音声出力手段が、前記切り替え検出手段が遮断状態に切り替わったことを検出した場合に、前記第２の負荷電源スイッチの周囲に前記第１の負荷電源スイッチを通常動作状態とすることを促す案内用の音声を出力することを特徴とする。
【００２６】
また、この発明にかかるスイッチ操作監視装置は、上記の発明において、前記状態判断手段の判断結果に基づいて、前記第１の負荷電源スイッチが通常動作状態以外の状態に切り替わってからの経過時間を計時する計時手段と、前記計時手段が計時する経過時間が所定時間に達したか否かを判断する経過時間判断手段と、を備え、前記警告音声出力手段が、前記経過時間判断手段が前記経過時間が所定時間に達したと判断し、かつ、前記第２の状態判断手段が前記第２の負荷電源スイッチが通常動作状態でないと判断した場合、当該経過時間が所定時間に達したことを案内する案内用の音声を出力することを特徴とする。
【発明の効果】
【００２７】
この発明にかかるスイッチ操作監視装置によれば、ヒューマンエラーによる作業の中断や遅延を防止して、電気負荷のＮＦＢの操作をともなう作業を安全かつ円滑におこなうことができるスイッチ操作監視装置を提供することができるという効果を奏する。
【００２８】
また、この発明にかかるスイッチ操作監視装置によれば、ヒューマンエラーによる作業の中断や遅延を防止して、電気負荷のＮＦＢの状態を確認する作業の効率を向上させ、確認結果の信頼性を向上させることができるスイッチ操作監視装置を提供することができるという効果を奏する。
【図面の簡単な説明】
【００２９】
【図１】この発明にかかる実施の形態のスイッチ操作監視装置のハードウエア構成を示す説明図である。
【図２】この発明にかかる実施の形態のスイッチ操作監視装置の機能的構成を示すブロック図である。
【図３−１】火災報知器のＮＦＢの操作レバーと、天井クレーンのＮＦＢの操作レバーとの関係を示す説明図（その１）である。
【図３−２】火災報知器のＮＦＢの操作レバーと、天井クレーンのＮＦＢの操作レバーとの関係を示す説明図（その２）である。
【図３−３】火災報知器のＮＦＢの操作レバーと、天井クレーンのＮＦＢの操作レバーとの関係を示す説明図（その３）である。
【図４】この発明にかかる実施の形態のスイッチ操作監視装置の処理手順を示すフローチャートである。
【発明を実施するための形態】
【００３０】
以下に添付図面を参照して、この発明にかかるスイッチ操作監視装置の好適な実施の形態を詳細に説明する。
【００３１】
まず、この発明にかかる実施の形態のスイッチ操作監視装置の設置対象となる設備について説明する。この発明にかかる実施の形態のスイッチ操作監視装置は、光電式の建屋火災報知器（以下「火災報知器」という）が設置された発電所などの建屋に設置される。発電所などの建屋は、発電にかかわる各種の電気設備が設置されている。スイッチ操作監視装置は、発電所ごとに設置することが好ましい。
【００３２】
火災報知器は、発光部および受光部を備えている。発光部および受光部は、それぞれ、発電所における建屋の天井部の両サイドに、互いに対向した状態で設置される。発電所において、火災報知器の電源と火災報知器との間にはＮＦＢ（火災報知器のＮＦＢ）が設けられている。
【００３３】
火災報知器のＮＦＢは、一般的な配線用遮断器と同様に、電源から火災報知器へ電気を供給する供給状態と、電源から火災報知器への電気の供給を遮断する遮断状態と、を選択的に切り替えることができる。火災報知器のＮＦＢは、供給状態を通常動作状態とし、過負荷や短絡などに起因して火災報知器に異常な電流が流れた場合に電路を開放し、火災報知器への電気の供給を遮断する。これによって、火災報知器を損傷から回避することができる。火災報知器のＮＦＢは、作業者による手動操作を受け付けることによって供給状態と遮断状態とを切り替える操作レバー（火災報知器の操作レバー）を備えている。
【００３４】
火災報知器は、供給状態において、発光部から受光部に向けて光を発光する。火災報知器は、発光部から発光（発信）した光の、受光部における受光（受信）状態に応じて、建屋における火災の発生を感知する機能を有している。具体的には、火災報知器は、発光部と受光部との間の光線を火災による煙や炎などが遮断することによって、受光部における受光量が減少した場合に、火災の発生を感知する。
【００３５】
そして、火災報知器は、火災の発生を感知した場合、火災が発生したことを通知する警報信号を、制御所に設置された制御所装置に出力する。このような火災報知器は、従来より、各発電所における多く建屋において設置されている。この実施の形態においては、所定の異常を検出した場合に制御所装置などの外部装置に警報信号を出力する電気負荷である警報装置を、火災報知器によって実現することができる。また、この実施の形態においては、火災報知器のＮＦＢによって、警報装置を実現する火災報知器と電源との間に設けられて供給状態を通常動作状態とする第１の負荷電源スイッチを実現することができる。
【００３６】
制御所装置は、火災報知器から出力された警報信号を受信した場合に、制御所においてサイレンを鳴らしたり、制御所装置が備える表示部において火災の発生を案内する制御画面を表示したりする。制御所は、たとえば、火災報知器が設置された発電所などの現場とは異なる、当該現場の遠隔地に設けられている。火災報知器によって発電所における火災の発生の有無を感知することにより、遠隔地において、発電所における各種の電気設備が正常に動作する環境であることを把握することができる。
【００３７】
発電所における建屋には、たとえば、水車や発電機の分解点検などの作業をおこなう際に用いられる天井クレーン（起重機）が設置されている。天井クレーンは、たとえば、水車や発電機の分解点検などの作業をおこなう際に、水車や発電機を構成する金物や水車や発電機本体などを吊り上げるために使用する。このような天井クレーンは、吊り上げ対象とする金物、水車や発電機本体などを吊り上げるための機器吊り上げ部を備えている。
【００３８】
発電所において、天井クレーンの電源と天井クレーンとの間にはＮＦＢ（天井クレーンのＮＦＢ）が設けられている。天井クレーンのＮＦＢは、一般的な配線用遮断器と同様に、電源から天井クレーンへ電気を供給する供給状態と、電源から天井クレーンへの電気の供給を遮断する遮断状態と、を選択的に切り替えることができる。この実施の形態においては、天井クレーンのＮＦＢによって、警報装置である火災報知器とは別の電気負荷である天井クレーンと電源との間に設けられた第２の負荷電源スイッチを実現することができる。
【００３９】
天井クレーンのＮＦＢは、過負荷や短絡などに起因して天井クレーンに異常な電流が流れた場合に電路を開放し、電源供給を遮断する。天井クレーンの電源と天井クレーンとの間に天井クレーンのＮＦＢを設けることにより、天井クレーンを損傷から回避することができる。天井クレーンのＮＦＢは、作業者による操作を受け付けることによって供給状態と遮断状態とを切り替える操作レバー（天井クレーンの操作レバー）を備えている。
【００４０】
火災報知器のＮＦＢが供給状態である状況において、水車や発電機を構成する金物、水車や発電機本体、天井クレーンの機器吊り上げ部などが火災報知器の光線を遮断すると、実際に火災が発生していないにもかかわらず、当該火災報知器が動作してしまう。平常時は無人であって制御所からの監視・制御をおこなっている発電所において火災報知器が動作すると、火災を報知する警報信号が制御所へ出力される。
【００４１】
平常時は無人である発電所における火災を報知する警報があった場合、制御所においては不要な動作であるか否かを判断することができない。特に、天井クレーンを用いた水車や発電機の分解点検などの作業を、制御所を管轄する会社とは異なる請負会社などがおこなう場合、制御所における作業員が、点検作業中に動作した火災報知器による警報であることを把握しにくいことがある。
【００４２】
平常時は無人である発電所における火災を報知する警報があった場合、火災報知器の不要な動作による警報であるにもかかわらず、現場における火災発生の有無の確認や消火のための人員を手配するなどしなくてはならない。このため、このような火災報知器が設置された発電所においては、天井クレーンを動作させる場合に、火災報知器のＮＦＢの操作レバーを操作して火災報知器のＮＦＢを「切」状態にしてから、天井クレーンのＮＦＢの操作レバーを操作して天井クレーンのＮＦＢを「入」状態にする運用がなされている。
【００４３】
つぎに、この発明にかかる実施の形態のスイッチ操作監視装置のハードウエア構成について説明する。図１は、この発明にかかる実施の形態のスイッチ操作監視装置のハードウエア構成を示す説明図である。図１において、この発明にかかる実施の形態のスイッチ操作監視装置１００は、ＣＰＵ１０１と、ＲＯＭ１０２と、ＲＡＭ１０３と、タイマー１０４と、電流計１０５と、電流計１０６と、人感センサー１０７と、スピーカー１０８と、ＬＥＤランプ１０９と、バックアップ電源１１０と、を備えている。スイッチ操作監視装置１００が備える各部１０１〜１１０は、バス１１１によって接続されている。
【００４４】
ＣＰＵ１０１は、スイッチ操作監視装置１００全体の制御をつかさどる。ＲＯＭ１０２は、スイッチ操作監視装置１００の機能を実現するための各種のプログラムなどを記憶している。また、ＲＯＭ１０２は、スピーカー１０８から警告用の音声や各種案内用の音声などを出力するための各種の音声信号を記憶している。ＲＡＭ１０３は、ＣＰＵ１０１のワークエリアとして使用される。タイマー１０４は、常に一定の周波数の信号（クロックパルス）を出力する。ＲＡＭ１０３を用いてタイマー１０４が出力する信号をカウントすることにより、カウントを開始してからの経過時間を計時することができる。
【００４５】
電流計１０５は、火災報知器のＮＦＢを介して火災報知器に流れる電流を検出する。電流計１０５は、火災報知器に流れる電流の大きさに応じた信号をＣＰＵ１０１に出力する。電流計１０６は、天井クレーンのＮＦＢを介して天井クレーンに流れる電流を検出する。電流計１０６は、天井クレーンに流れる電流の大きさに応じた信号をＣＰＵ１０１に出力する。いずれの電流計１０５、１０６も、電流が流れているか遮断されているかを検出できればよく、正式な電流値を測定するものでなくてもよい。
【００４６】
人感センサー１０７は、赤外線、超音波、可視光などを用いて人体の所在を検知する。人感センサー１０７は、赤外線および超音波などのように、複数の検知方法を用いて人体の所在を検知するものであってもよい。人感センサー１０７を、たとえば、赤外線（赤外線による温度変化）を利用して人体の所在を検知する、いわゆる赤外線センサーによって実現する場合、当該赤外線センサーはアクティブセンサーまたはパッシブセンサーのいずれを用いてもよい。
【００４７】
アクティブセンサーは、赤外線ビーム（赤外光）を発光する発光部と発光部が発光した赤外線ビーム（赤外光）を受光する受光部とを備え、発光部が発光した赤外線ビーム（赤外光）が反射されたり遮られたりすることによる受光部における受光量の変化に基づいて人体の所在を検知する。パッシブセンサーは、パッシブセンサー自体は赤外線を発光せず、人体から放出されている微弱な遠赤外線を感知（受光）し、背景と人体の赤外線エネルギーの差（温度の差）に基づいて人体の所在を検知する。
【００４８】
パッシブセンサーにおいては受光する遠赤外線の量、人体感知の判断の基準となる温度などを適宜設定することにより、人体を精度よく検出することができるため、赤外線センサーによって人感センサー１０７を実現する場合はパッシブセンサーを用いることが好ましい。アクティブセンサーはパッシブセンサーと比較して、素早く動く人体であっても検知することができる。発電所内においては、移動する対象は人体（人体に付属する工具などを含む）が主であることから、人感センサー１０７を実現する赤外線センサーとしてアクティブセンサーを用いてもよい。
【００４９】
スピーカー１０８は、警告用の音声や各種案内用の音声などを出力する。スピーカー１０８は、ボイスコイル（図示を省略する）を備えており、ＣＰＵ１０１から出力された音声信号にしたがった電気信号をボイスコイルに印加することによって音声を出力する。
【００５０】
ＬＥＤランプ１０９は、通電されることによって発光する。スイッチ操作監視装置１００は、たとえば、天井クレーンのＮＦＢのスイッチが「入」状態である場合に点灯されて赤色に発光するＬＥＤランプ１０９や、天井クレーンのＮＦＢのスイッチが「切」状態である場合に点灯されて緑色に発光するＬＥＤランプ１０９など、複数のＬＥＤランプ１０９を備えている。
【００５１】
バックアップ電源１１０は、スイッチ操作監視装置１００に対する電気の供給が遮断された場合に、スイッチ操作監視装置１００が備える各部に対して、一定時間継続して電力を供給する。これにより、事故遮断などによってスイッチ操作監視装置１００に対する電気の供給が遮断された場合も、スイッチ操作監視装置１００の機能が停止することがない。
【００５２】
バックアップ電源１１０は、たとえば、ＵＰＳ（Ｕｎｉｎｔｅｒｒｕｐｔｉｂｌｅ  Ｐｏｗｅｒ  Ｓｕｐｐｌｙ）などと称される無停電電源装置によって実現することができる。無停電電源装置は、送電線から電力を受ける第１の装置と、送電線から受けた電力を蓄積する第２の装置と、第１の装置または第２の装置のいずれか一方からスイッチ操作監視装置１００が備える各部に対して一定規格の電力が供給されるように切り替える第３の装置と、を備えている。
【００５３】
第３の装置は、送電線から電力を受けた場合は第１の装置に、事故遮断などによってスイッチ操作監視装置１００に対する電気の供給が遮断された場合には第２の装置に切り替える。これにより、常時、火災報知器のＮＦＢの状態を確実に案内することができる。スイッチ操作監視装置１００は、雷サージによるスイッチ操作監視装置１００の損壊を防止するサージ防護機器と併用してもよい。
【００５４】
スイッチ操作監視装置１００は、たとえば、火災報知器のＮＦＢのスイッチが「切」状態である場合に点灯されて赤色に発光するＬＥＤランプ１０９や、火災報知器のＮＦＢのスイッチが「入」状態である場合に点灯されて緑色に発光するＬＥＤランプ１０９などの複数のＬＥＤランプ１０９を備えていてもよい。この場合、ＣＰＵ１０１は、発光色が異なる複数のＬＥＤランプ１０９をそれぞれ制御して、天井クレーンのＮＦＢや火災報知器のＮＦＢにおける通電状態に応じて該当するＬＥＤランプ１０９を発光させることができる。
【００５５】
スイッチ操作監視装置１００は、発光色が異なる複数のＬＥＤランプ１０９を備えたものに限らない。スイッチ操作監視装置１００は、たとえば、監視対象とするＮＦＢごとに１つずつ設けられた複数のＬＥＤランプ１０９を備えていてもよい。この場合、ＣＰＵ１０１は、たとえば、天井クレーンのＮＦＢのスイッチが「入」状態である場合にＬＥＤランプ１０９を点滅させ、天井クレーンのＮＦＢのスイッチが「切」状態である場合には当該ＬＥＤランプ１０９を点灯させる。また、この場合、ＣＰＵ１０１は、たとえば、火災報知器のＮＦＢのスイッチが「入」状態である場合にＬＥＤランプ１０９を点灯させ、火災報知器のＮＦＢのスイッチが「切」状態である場合には当該ＬＥＤランプ１０９を点滅させることができる。
【００５６】
スイッチ操作監視装置１００は、監視対象とするＮＦＢが設けられた電気負荷（火災報知器や天井クレーンなど）が取り得る状態に応じた、複数のＬＥＤランプ１０９を備えていてもよい。具体的には、スイッチ操作監視装置１００は、たとえば、天井クレーンのＮＦＢのスイッチが「切」状態である場合に点灯するＬＥＤランプ１０９と、天井クレーンのＮＦＢのスイッチが「入」状態である場合に点灯するＬＥＤランプ１０９と、のように、天井クレーンが取り得る状態ごとに設けられた複数のＬＥＤランプ１０９を備えていてもよい。
【００５７】
また、具体的には、スイッチ操作監視装置１００は、たとえば、天井クレーンのＮＦＢのスイッチに対する操作が可能な状況において点灯するＬＥＤランプ１０９と、天井クレーンのＮＦＢのスイッチに対する操作を禁止する状況において点灯するＬＥＤランプ１０９と、のように、天井クレーンが取り得る状態ごとに設けられた複数のＬＥＤランプ１０９を備えていてもよい。
【００５８】
この場合、監視対象とするＮＦＢが設けられた電気負荷が取り得る状態に応じて複数設けられたＬＥＤランプ１０９は、それぞれ、割り当てられた所定の色で発光するものであってもよい。具体的には、たとえば、天井クレーンのＮＦＢのスイッチに対する操作が可能な状況において点灯するＬＥＤランプ１０９は緑色で発光し、天井クレーンのＮＦＢのスイッチに対する操作を禁止する状況において点灯するＬＥＤランプ１０９は赤色で発光するものであってもよい。
【００５９】
さらに、この場合、天井クレーンのＮＦＢのスイッチに対する操作が可能な状況において点灯するＬＥＤランプ１０９の近傍に、「操作可」などの文字を記載（印刷、シールの貼り付け、直接書き込みなど）してもよい。また、この場合、天井クレーンのＮＦＢのスイッチに対する操作が可能な状況において点灯するＬＥＤランプ１０９の近傍に、「操作不可」などの文字を記載（印刷、シールの貼り付け、直接書き込みなど）してもよい。
【００６０】
つぎに、この発明にかかる実施の形態のスイッチ操作監視装置１００の機能的構成について説明する。図２は、この発明にかかる実施の形態のスイッチ操作監視装置１００の機能的構成を示すブロック図である。図２において、この発明にかかる実施の形態のスイッチ操作監視装置１００の各機能は、記憶部２０１と、第１の通電判断部２０２と、第２の通電判断部２０３と、状態判断部２０４と、態様報知部２０５と、計時部２０６と、経過時間判断部２０７と、所在判断部２０８と、警告音声出力部２０９と、切り替え検出部２１０と、によって実現される。この発明にかかる実施の形態のスイッチ操作監視装置１００の各機能部２０１〜２１０は、上記のハードウエアを構成する各部によって実現することができる。
【００６１】
記憶部２０１は、負荷電源スイッチの通常動作状態が供給状態であるか遮断状態であるかを記憶する。負荷電源スイッチは、所定の電気負荷と当該電気負荷に電気を供給する電源との間に設けられており、たとえば、上記の発電所に設置された火災報知器のＮＦＢ２１１や天井クレーンのＮＦＢ２１２などによって実現することができる。火災報知器のＮＦＢ２１１や天井クレーンのＮＦＢ２１２などの負荷電源スイッチは、上記のように、電源から当該電気負荷へ電気を供給する供給状態と、当該電源から当該電気負荷への電気の供給を遮断する遮断状態とを選択的に切り替える。
【００６２】
記憶部２０１は、負荷電源スイッチごとに、それぞれの負荷電源スイッチの通常動作状態を記憶する。スイッチ操作監視装置１００が複数のＮＦＢを監視対象とする場合、記憶部２０１は、各ＮＦＢの通常動作状態を記憶する。この実施の形態において、記憶部２０１は、供給状態を火災報知器のＮＦＢ２１１の通常動作状態として記憶し、遮断状態を天井クレーンのＮＦＢ２１２の通常動作状態として記憶する。スイッチ操作監視装置１００が監視対象とするＮＦＢが１台である場合、記憶部２０１は、監視対象とする負荷電源スイッチの通常動作状態のみを記憶するものであってもよい。
【００６３】
記憶部２０１における記憶内容は、たとえば、スイッチ操作監視装置１００と当該スイッチ操作監視装置１００が接続された制御所装置との間で通信をおこなうことによって、当該制御所装置からの制御信号に基づいて適宜更新することができる。あるいは、記憶部２０１における記憶内容は、たとえば、メンテナンス用の専用の端末装置をスイッチ操作監視装置１００に接続し、当該メンテナンス用の専用の端末装置を用いて適宜更新することができるようにしてもよい。
【００６４】
第１の通電判断部２０２は、火災報知器のＮＦＢ２１１における通電状態を判断する。第１の通電判断部２０２は、火災報知器のＮＦＢ２１１が供給状態であるか遮断状態であるかを判断する。第２の通電判断部２０３は、天井クレーンのＮＦＢ２１２における通電状態を判断する。第２の通電判断部２０３は、天井クレーンのＮＦＢ２１２が供給状態であるか遮断状態であるかを判断する。
【００６５】
状態判断部２０４は、記憶部２０１の記憶内容に基づいて、負荷電源スイッチが通常動作状態であるか否かを判断する。状態判断部２０４は、記憶部２０１の記憶内容に基づいて、監視対象とするＮＦＢが通常動作状態であるか否かを、ＮＦＢごとに判断する。たとえば、供給状態を通常動作状態とする火災報知器のＮＦＢ２１１を監視対象とする場合、当該火災報知器のＮＦＢ２１１が供給状態であるか否かを判断する。また、たとえば、遮断状態を通常動作状態とする天井クレーンのＮＦＢ２１２を監視対象とする場合、当該天井クレーンのＮＦＢ２１２が遮断状態であるか否かを判断する。
【００６６】
状態判断部２０４は、第１の状態判断部２０４と第２の状態判断部２０４とを備えている。第１の状態判断部２０４は、第１の負荷電源スイッチを実現する火災報知器のＮＦＢ２１１が、通常動作状態すなわち供給状態であるか否かを判断する。第２の状態判断部２０４は、天井クレーンのＮＦＢ２１２が、通常動作状態すなわち遮断状態であるか否かを判断する。
【００６７】
態様報知部２０５は、状態判断部２０４の判断結果に基づいて、負荷電源スイッチが通常動作状態であるか否かに応じて異なる態様の報知をおこなう。態様報知部２０５は、負荷電源スイッチが通常動作状態であるか否かを報知する。態様報知部２０５は、各負荷電源スイッチが通常動作状態であるか否かをそれぞれ報知する。
【００６８】
態様報知部２０５は、たとえば、第１の状態判断部２０４が、火災報知器のＮＦＢ２１１が通常動作状態（供給状態）であると判断した場合に、火災報知器のＮＦＢ２１１が備えるスイッチの近傍に設けられたＬＥＤランプ１０９を点灯（第１の発光態様）する。また、態様報知部２０５は、たとえば、第１の状態判断部２０４が、火災報知器のＮＦＢ２１１が通常動作状態以外の状態（遮断状態）であると判断した場合に、火災報知器のＮＦＢ２１１が備えるスイッチの近傍に設けられたＬＥＤランプ１０９を点滅（第２の発光態様）させる。
【００６９】
また、態様報知部２０５は、たとえば、第２の状態判断部２０４が、天井クレーンのＮＦＢ２１２が通常動作状態（遮断状態）であると判断した場合に、天井クレーンのＮＦＢ２１２が備えるスイッチの近傍に設けられたＬＥＤランプ１０９を点灯（第１の発光態様）させる。また、態様報知部２０５は、たとえば、第２の状態判断部２０４が、天井クレーンのＮＦＢ２１２が通常動作状態以外の状態（供給状態）であると判断した場合に、天井クレーンのＮＦＢ２１２が備えるスイッチの近傍に設けられたＬＥＤランプ１０９を点滅（第２の発光態様）する。
【００７０】
態様報知部２０５は、複数のＬＥＤランプ１０９の中から該当するＬＥＤランプ１０９を点灯させたり点滅させたりすることに代えて、複数のＬＥＤランプ１０９の中から該当するＬＥＤランプ１０９を緑色や赤色などの所定の色で発光させるようにしてもよい。この場合、態様報知部２０５は、具体的には、たとえば、火災報知器のＮＦＢ２１１が通常動作状態（供給状態）であると判断した場合に、火災報知器のＮＦＢ２１１が備えるスイッチの近傍に設けられたＬＥＤランプ１０９のうち、緑色（第１の発光色）のＬＥＤランプ１０９（第１の発光部）を点灯する。また、この場合、態様報知部２０５は、具体的には、たとえば、火災報知器のＮＦＢ２１１が通常動作状態以外の状態（遮断状態）であると判断した場合に、火災報知器のＮＦＢ２１１が備えるスイッチの近傍に設けられたＬＥＤランプ１０９のうち、赤色（第２の発光色）のＬＥＤランプ１０９（第２の発光部）を点灯する。
【００７１】
さらに、この場合、態様報知部２０５は、具体的には、たとえば、天井クレーンのＮＦＢ２１２が通常動作状態（遮断状態）であると判断した場合に、天井クレーンのＮＦＢ２１２が備えるスイッチの近傍に設けられたＬＥＤランプ１０９のうち、緑色（第１の発光色）のＬＥＤランプ１０９（第１の発光部）を点灯する。また、この場合、態様報知部２０５は、具体的には、たとえば、天井クレーンのＮＦＢ２１２が通常動作状態以外の状態（供給状態）であると判断した場合に、天井クレーンのＮＦＢ２１２が備えるスイッチの近傍に設けられたＬＥＤランプ１０９のうち、赤色（第２の発光色）のＬＥＤランプ１０９（第２の発光部）を点灯する。
【００７２】
また、態様報知部２０５は、該当するＬＥＤランプ１０９を点灯／点滅させたり、該当するＬＥＤランプ１０９を所定の色で発光させたりすることに代えて、複数のＬＥＤランプ１０９の中から、「常時」あるいは「ロック」などのように該当する状態に応じた位置に設けられたＬＥＤランプ１０９を発光させるようにしてもよい。
【００７３】
計時部２０６は、状態判断部２０４の判断結果に基づいて、火災報知器のＮＦＢ２１１が通常動作状態以外の状態（遮断状態）に切り替わってからの経過時間を計時する。具体的には、計時部２０６は、火災報知器のＮＦＢ２１１の操作レバーが、遮断状態から供給状態に切り替わってからの経過時間を計時する。
【００７４】
経過時間判断部２０７は、計時部２０６が計時する経過時間が所定時間に達したか否かを判断する。所定時間は、たとえば、スイッチ操作監視装置１００の管理者などが任意に設定することができる。具体的には、所定時間は、たとえば、天井クレーンを用いておこなう作業に要する時間と同等程度の時間によって実現することができる。
【００７５】
所在判断部２０８は、天井クレーンのＮＦＢ２１２の所定範囲内に所在する人体の有無を判断する。所在判断部２０８は、たとえば、天井クレーンのＮＦＢ２１２から半径２メートル以内に所在する人体の有無を判断する。具体的には、所在判断部２０８は、たとえば、天井クレーンのＮＦＢ２１２あるいはその近傍に人感センサー１０７を設け、当該人感センサー１０７からの出力信号に基づいて、天井クレーンのＮＦＢ２１２の所定範囲内に所在する人体の有無を判断することができる。
【００７６】
警告音声出力部２０９は、第１の状態判断部２０４の判断結果および第２の状態判断部２０４の判断結果に基づいて、天井クレーンのＮＦＢ２１２の周囲に警告用の音声を出力する。警告音声出力部２０９は、第１の状態判断部２０４が火災報知器が通常動作状態であると判断し、かつ、所在判断部２０８が天井クレーンのＮＦＢ２１２の所定範囲内に人体が所在すると判断した場合、当該天井クレーンのＮＦＢ２１２の周囲に警告用の音声を出力する。
【００７７】
具体的には、警告音声出力部２０９は、たとえば、火災報知器が供給状態である、すなわち、火災報知器が火災を検知した場合に制御装置へ警報信号を出力できる状態で、天井クレーンのＮＦＢ２１２の所定範囲内に作業員などが立ち入った場合に、天井クレーンのＮＦＢ２１２の周囲に警告用の音声を出力する。警告音声出力部２０９は、天井クレーンのＮＦＢ２１２の周囲に警告用の音声を出力するものに限らず、発電所全体に警告用の音声を出力してもよい。
【００７８】
切り替え検出部２１０は、天井クレーンのＮＦＢ２１２が通常動作状態以外の状態から通常動作状態に切り替わったことを検出する。具体的には、切り替え検出部２１０は、天井クレーンのＮＦＢ２１２が供給状態から遮断状態に切り替わったことを検出する。
【００７９】
上記の警告音声出力部２０９は、切り替え検出部２１０が、天井クレーンのＮＦＢ２１２が供給状態から遮断状態に切り替わったことを検出した場合に、天井クレーンのＮＦＢ２１２の周囲に、当該天井クレーンのＮＦＢ２１２を通常動作状態とすることを促す案内用の音声を出力する。天井クレーンのＮＦＢ２１２を通常動作状態とすることを促す案内用の音声は、たとえば、「火災報知器の電源をＯＮにしてください」などの音声によって実現することができる。
【００８０】
上記の警告音声出力部２０９は、経過時間判断部２０７が経過時間が所定時間に達したと判断し、かつ、第２の状態判断部２０４が天井クレーンのＮＦＢ２１２が通常動作状態でないと判断した場合、当該経過時間が所定時間に達したことを案内する案内用の音声を出力する。具体的には、警告音声出力部２０９は、たとえば、火災報知器のＮＦＢ２１１が供給状態に切り替わってから所定時間が経過した場合に、「火災報知器の電源を確認してください」や「天井クレーン作業が終了したら火災報知器の電源をＯＮにしてください」などの音声を出力する。
【００８１】
図３−１、図３−２および図３−３は、火災報知器のＮＦＢ２１１の操作レバーと、天井クレーンのＮＦＢ２１２の操作レバーとの関係を示す説明図である。図３−１において、火災報知器のＮＦＢ２１１の操作レバー３１１は、捻回式の操作レバーであって、火災報知器のＮＦＢ２１１の現在の状態を示すマーキング３０１が設けられている。作業者は、操作レバー３１１を捻回させて、操作レバー３１１に設けられたマーキング３０１の位置を切り替えることによって、火災報知器のＮＦＢ２１１を供給状態（「入」状態、通常動作状態）にしたり、遮断状態（「切」状態、通常動作状態以外の状態）にしたりすることができる。
【００８２】
操作レバー３１１の近傍には、通常動作状態（供給状態）における操作レバー３１１の位置を示すマーキング３０２や、通常動作状態以外の状態における操作レバー３１１の位置を示すマーキング３０３などが設けられている。通常動作状態（供給状態）における操作レバー３１１の位置を示すマーキング３０２は、たとえば「常時●」と記載された文字や記号によって実現することができる。通常動作状態以外の状態における操作レバー３１１の位置を示すマーキング３０３は、たとえば「●ロック」と記載された文字や記号によって実現することができる。図３−１においては、操作レバー３１１のマーキング３０１が、マーキング３０２によって示される「常時●」位置、すなわち、通常動作状態（供給状態）に位置付けられている状態を示している。
【００８３】
図３−１において、天井クレーンのＮＦＢ２１２の操作レバー３１２は、揺動式の操作レバーによって実現することができる。作業者は、操作レバー３１２を揺動させることによって、天井クレーンのＮＦＢ２１２を供給状態（「入」状態、通常動作状態以外の状態）にしたり遮断状態（「切」状態、通常動作状態）にしたりすることができる。
【００８４】
スイッチ操作監視装置１００は、当該スイッチ操作監視装置１００が通常動作状態となる位置に、操作レバー３１１が位置付けられている場合に、操作レバー３１２の近傍に設けられた「操作不可」と記載された位置のＬＥＤランプ１０９を点灯させる。また、スイッチ操作監視装置１００は、当該スイッチ操作監視装置１００が通常動作状態以外の状態となる位置に、操作レバー３１１が位置付けられている場合に、操作レバー３１２に近傍に設けられた「操作可」と記載された位置のＬＥＤランプ１０９を点灯させる。
【００８５】
スイッチ操作監視装置１００は、図３−１に示すように、操作レバー３１１が通常動作状態の位置に位置付けられている場合、操作レバー３１２の近傍に設けられたＬＥＤランプ１０９のうち、「操作不可」というマーキングが設けられたＬＥＤランプ１０９が点灯させる。そして、スイッチ操作監視装置１００は、図３−１に示すように、操作レバー３１１が通常動作状態の位置に位置付けられている状態で、操作レバー３１２から所定範囲内において人体の存在を検出した場合、操作レバー３１２近傍に設けられたスピーカー１０８から、当該操作レバー３１２の操作を禁止する旨の警告音声を出力する。
【００８６】
スイッチ操作監視装置１００は、図３−２に示すように、当該スイッチ操作監視装置１００が通常動作状態以外の状態（「ロック」状態）であることを示す位置に操作レバー３１１が位置付けられている場合、操作レバー３１２の近傍に設けられたＬＥＤランプ１０９のうち、「操作可」というマーキングが設けられたＬＥＤランプ１０９を点灯させる。
【００８７】
そして、スイッチ操作監視装置１００は、図３−２に示すように、当該スイッチ操作監視装置１００が通常動作状態以外の状態（「ロック」状態）であることを示す位置に操作レバー３１１が位置付けられている場合、操作レバー３１２から所定範囲内において人体の存在を検出しても、操作レバー３１２の近傍に設けられたスピーカー１０８からは警告用の音声を出力しない。作業者は、この状態において、操作レバー３１２を供給状態に切り替えることができる。
【００８８】
スイッチ操作監視装置１００は、図３−３に示すように、当該スイッチ操作監視装置１００が通常動作状態以外の状態（「ロック」状態）であることを示す位置に操作レバー３１１が位置付けられている状態で、操作レバー３１２が通常動作状態に切り替えられた場合、「操作可」というマーキングが設けられたＬＥＤランプ１０９を点灯させたまま、操作レバー３１１を通常動作状態に戻すよう促す案内用の音声を出力する。
【００８９】
スイッチ操作監視装置１００は、操作レバー３１１を通常動作状態に戻すよう促す案内用の音声を出力した後、当該操作レバー３１１が通常動作状態に戻されたことを検出した場合に、操作レバー３１２の近傍に設けられたＬＥＤランプ１０９のうち、「操作不可」というマーキングが設けられたＬＥＤランプ１０９を点灯させる。これにより、操作レバー３１２を誤操作する可能性を排除することができる。
【００９０】
（スイッチ操作監視装置１００の処理手順）
つぎに、この発明にかかる実施の形態のスイッチ操作監視装置１００の処理手順について説明する。図４は、この発明にかかる実施の形態のスイッチ操作監視装置１００の処理手順を示すフローチャートである。図４のフローチャートにおいて、まず、火災報知器のＮＦＢ２１１が通常動作状態（供給状態）であるか否かを判断する（ステップＳ４０１）。
【００９１】
ステップＳ４０１において、火災報知器のＮＦＢ２１１が通常動作状態（供給状態）である場合（ステップＳ４０１：Ｙｅｓ）、人感センサー１０７からの出力値に基づいて、天井クレーンのＮＦＢ２１２の所定範囲内に人体が所在するか否かを判断する（ステップＳ４０２）。ステップＳ４０２において、天井クレーンのＮＦＢ２１２の所定範囲内に人体が所在しない場合（ステップＳ４０２：Ｎｏ）、ステップＳ４０１に戻る。ステップＳ４０２において、天井クレーンのＮＦＢ２１２の所定範囲内に人体が所在する場合（ステップＳ４０２：Ｙｅｓ）、スピーカー１０８から警告用の音声を出力する（ステップＳ４０３）。
【００９２】
ステップＳ４０３においては、たとえば、警告用の音声を連続して出力する。あるいは、ステップＳ４０３においては、たとえば、警告用の音声を、定期的に繰り返して出力してもよい。警告用の音声は、以降のステップＳ４０４において人体が所在しなくなるまで連続して（あるいは定期的に繰り返して）出力する。
【００９３】
そして、人感センサー１０７からの出力値に基づいて、ステップＳ４０２：Ｙｅｓにおいて検知された人体が、天井クレーンのＮＦＢ２１２の所定範囲内に所在しなくなったか否かを判断する（ステップＳ４０４）。ステップＳ４０４において、天井クレーンのＮＦＢ２１２の所定範囲内に人体が所在する場合（ステップＳ４０４：Ｎｏ）、ステップＳ４０３に戻る。このとき、ステップＳ４０３において出力した警告用の音声は、継続して（連続して、あるいは定期的に繰り返して）出力したままであってもよく、１回分の警告用の音声を出力するのみであってもよい。
【００９４】
ステップＳ４０４において、天井クレーンのＮＦＢ２１２の所定範囲内に人体が所在しなくなった場合（ステップＳ４０４：Ｙｅｓ）、警告用の音声の出力を停止して（ステップＳ４０５）、一連の処理を終了する。
【００９５】
ステップＳ４０１において、火災報知器のＮＦＢ２１１が通常動作状態（供給状態）ではない場合（ステップＳ４０１：Ｎｏ）、すなわち火災報知器のＮＦＢ２１１が通常動作状態以外の状態（遮断状態）である場合、ステップＳ４０１：Ｎｏにおいて火災報知器のＮＦＢ２１１が通常動作状態（供給状態）から通常動作状態以外の状態（遮断状態）に切り替わってからの経過時間の計時を開始する（ステップＳ４０６）。そして、操作レバー３１２の近傍に設けられたＬＥＤランプ１０９のうち、「操作可」というマーキングが設けられたＬＥＤランプ１０９を点灯させる（ステップＳ４０７）。
【００９６】
つぎに、操作レバー３１２が、通常動作状態（遮断状態）から通常動作状態以外の状態（供給状態）に切り替わったか否かを判断する（ステップＳ４０８）。ステップＳ４０８において、操作レバー３１２が通常動作状態以外の状態（供給状態）に切り替わった場合（ステップＳ４０８：Ｙｅｓ）、当該操作レバー３１２が再び通常動作状態（遮断状態）に切り替わったか否かを判断する（ステップＳ４０９）。ステップＳ４０９において、操作レバー３１２が通常動作状態に切り替わった場合（ステップＳ４０９：Ｙｅｓ）、スピーカー１０８から案内用の音声を出力する（ステップＳ４１０）。ステップＳ４１０においては、たとえば、「火災報知器の電源をＯＮにしてください」などの音声を出力する。
【００９７】
そして、操作レバー３１１が、通常動作状態以外の状態（遮断状態）から通常動作状態（供給状態）に切り替わったか否かを判断する（ステップＳ４１１）。ステップＳ４１１において、操作レバー３１１が通常動作状態以外の状態（遮断状態）のまま切り替わらない場合（ステップＳ４１１：Ｎｏ）、ステップＳ４０８へ戻る。一方、ステップＳ４１１において、操作レバー３１１が通常動作状態以外の状態（遮断状態）から通常動作状態（供給状態）になった場合（ステップＳ４１１：Ｙｅｓ）、操作レバー３１２の近傍に設けられたＬＥＤランプ１０９のうち、「操作不可」というマーキングが設けられたＬＥＤランプ１０９を点灯させて（ステップＳ４１２）、一連の処理を終了する。
【００９８】
ステップＳ４０９において、操作レバー３１２が通常動作状態に切り替わっていない場合（ステップＳ４０９：Ｎｏ）、ステップＳ４０６において計時を開始した経過時間、すなわち、ステップＳ４０１：Ｎｏにおいて火災報知器のＮＦＢ２１１が通常動作状態（供給状態）から通常動作状態以外の状態（遮断状態）に切り替わってからの経過時間が、所定時間に達したか否かを判断する（ステップＳ４１３）。
【００９９】
ステップＳ４１３において、ステップＳ４０１：Ｎｏにおいて火災報知器のＮＦＢ２１１が通常動作状態（供給状態）から通常動作状態以外の状態（遮断状態）に切り替わってからの経過時間が、所定時間に達していない場合（ステップＳ４１３：Ｎｏ）、ステップＳ４０９へ移行する。一方、ステップＳ４１３において、経過時間が所定時間に達した場合（ステップＳ４１３：Ｙｅｓ）、スピーカー１０８から案内用の音声を出力する（ステップＳ４１４）。ステップＳ４１４においては、たとえば、「火災報知器の電源を確認してください」や「天井クレーン作業が終了したら火災報知器の電源をＯＮにしてください」などの音声を出力する。その後、ステップＳ４１１へ移行する。
【０１００】
この発明にかかるスイッチ操作監視装置は、上述した実施の形態のスイッチ操作監視装置１００に限るものではない。たとえば、開閉機器であるＮＦＢ遮断器単体にＩＣ機能を活用して、スイッチ操作監視装置１００に相当する機能を有した回路を内蔵できるようにしてもよい。すなわち、開閉機器であるＮＦＢ遮断器に、上述した実施の形態のスイッチ操作監視装置に相当する機能を実現する回路（ＩＣ）を設け、当該回路（ＩＣ）の機能によって上述した実施の形態のスイッチ操作監視装置に相当する機能を実現するようにしてもよい。
【０１０１】
以上説明したように、この発明にかかる実施の形態のスイッチ操作監視装置１００は、記憶部２０１の記憶内容に基づいて、負荷電源スイッチ（第２の負荷電源スイッチ）であるクレーンのＮＦＢが通常動作状態であるか否かに応じて異なる態様の報知をおこなうようにしたことを特徴としている。
【０１０２】
この発明にかかる実施の形態のスイッチ操作監視装置１００によれば、天井クレーンを用いた作業をおこなう作業者に対して、当該天井クレーンのＮＦＢ２１２が通常動作状態であるか否かを容易かつ確実に案内することができる。これによって、この発明にかかる実施の形態のスイッチ操作監視装置１００によれば、天井クレーンのＮＦＢ２１２を「入」状態とする、すなわち、クレーンを通常動作状態以外の状態にする作業者に対して、当該天井クレーンの操作の前に火災報知器のＮＦＢ２１１を「切」状態にするよう注意喚起することができる。
【０１０３】
また、この発明にかかる実施の形態のスイッチ操作監視装置１００は、記憶部２０１の記憶内容に基づいて、負荷電源スイッチ（第２の負荷電源スイッチ）である火災報知器のＮＦＢ２１１が通常動作状態であるか否かに応じて異なる態様の報知をおこなうようにしてもよい。この場合、クレーンのＮＦＢの操作時に「切」状態とすべき火災報知器のＮＦＢ２１１が通常動作状態であるか否かを容易かつ確実に案内することができる。これによって、この発明にかかる実施の形態のスイッチ操作監視装置１００によれば、火災報知器や天井クレーンのＮＦＢ２１１、２１２の状態を確認する作業の効率を向上させることができる。
【０１０４】
このように、この発明にかかる実施の形態のスイッチ操作監視装置１００によれば、通常動作状態であるか否かを簡易な構成で明確に案内することにより、操作対象とする電気負荷である天井クレーンのＮＦＢ２１２とは異なる場所に設置された電気負荷である火災報知器のＮＦＢ２１１の操作忘れや操作漏れを防止し、ヒューマンエラーによる作業の中断や遅延を防止して、天井クレーンや火災報知器のＮＦＢ２１１の操作をともなう作業を安全かつ円滑におこなうことができる。
【０１０５】
また、この発明にかかる実施の形態のスイッチ操作監視装置１００によれば、天井クレーンのＮＦＢ２１２が通常動作状態であるか否かに応じて異なる態様の報知をおこなうことにより、当該ＮＦＢの通常動作状態を容易かつ確実に案内することができる。これによって、この発明にかかる実施の形態のスイッチ操作監視装置１００によれば、作業者が通常動作状態を勘違いすることを防止し、常時、火災報知器や天井クレーンのＮＦＢ２１１、２１２を通常動作状態にしておくことができる。
【０１０６】
また、これによって、この発明にかかる実施の形態のスイッチ操作監視装置１００によれば、火災報知器や天井クレーンのＮＦＢ２１１、２１２を操作した作業者が通常動作状態に戻すことを忘れた場合にも、当該作業者以外の作業者が火災報知器や天井クレーンのＮＦＢ２１１、２１２を通常動作状態に戻すことができる。これにより、この発明にかかる実施の形態のスイッチ操作監視装置１００によれば、操作対象とする電気負荷である天井クレーンのＮＦＢ２１２とは異なる場所に設置された電気負荷である火災報知器のＮＦＢ２１１の操作忘れや操作漏れを防止し、常時、火災報知器や天井クレーンのＮＦＢ２１１、２１２を通常動作状態にしておくことができる。
【０１０７】
このように、この発明にかかる実施の形態のスイッチ操作監視装置１００によれば、天井クレーンや火災報知器などの電気負荷のＮＦＢ２１１、２１２を通常動作状態にしておくことができるので、各電気負荷が本来目的とする機能を実現するよう各電気負荷を正常に動作させることができる。
【０１０８】
また、この発明にかかる実施の形態のスイッチ操作監視装置１００によれば、天井クレーンのＮＦＢ２１２が通常動作状態であるか否かに応じて異なる態様の報知をおこなうことにより、当該ＮＦＢ２１２の通常動作状態を容易かつ確実に案内することができる。これによって、この発明にかかる実施の形態のスイッチ操作監視装置１００によれば、火災報知器や天井クレーンのＮＦＢ２１１、２１２の状態を確認する作業の効率を向上させ、確認結果の信頼性を向上させることができる。
【０１０９】
この発明にかかる実施の形態のスイッチ操作監視装置１００においては、天井クレーンのＮＦＢ２１２が通常動作状態である場合に第１の発光色で発光し、天井クレーンのＮＦＢ２１２が通常動作状態以外の状態である場合に第２の発光色で発光することにより、天井クレーンのＮＦＢ２１２が通常動作状態であるか否かを報知することができる。具体的には、たとえば、天井クレーンのＮＦＢ２１２が遮断状態である場合は当該ＮＦＢ２１２のスイッチ近傍のＬＥＤランプ１０９を緑色で発光させ、天井クレーンのＮＦＢ２１２が供給状態である場合は当該ＬＥＤランプ１０９を赤色で発光させることができる。
【０１１０】
また、この発明にかかる実施の形態のスイッチ操作監視装置１００においては、天井クレーンのＮＦＢ２１２が通常動作状態である場合に第１の発光部を発光させ、天井クレーンのＮＦＢ２１２が通常動作状態以外の状態である場合に第２の発光部を発光させることにより、天井クレーンのＮＦＢ２１２が通常動作状態であるか否かを報知することができる。具体的には、たとえば、天井クレーンのＮＦＢ２１２が遮断状態である場合は当該ＮＦＢ２１２のスイッチ近傍のＬＥＤランプ１０９のうち遮断位置の近傍に設けられたＬＥＤランプ１０９を発光させ、天井クレーンのＮＦＢ２１２が供給状態である場合は当該ＮＦＢのスイッチ近傍のＬＥＤランプ１０９のうち供給位置の近傍に設けられたＬＥＤランプ１０９を発光させることができる。
【０１１１】
また、この発明にかかる実施の形態のスイッチ操作監視装置１００においては、天井クレーンのＮＦＢ２１２が通常動作状態である場合に第１の発光態様で発光し、天井クレーンのＮＦＢ２１２が通常動作状態以外の状態である場合に第２の発光態様で発光することにより、天井クレーンのＮＦＢ２１２が通常動作状態であるか否かを報知することができる。具体的には、たとえば、天井クレーンのＮＦＢ２１２が遮断状態である場合は当該ＮＦＢ２１２のスイッチ近傍のＬＥＤランプ１０９を連続して点灯させ、天井クレーンのＮＦＢ２１２が供給状態である場合は当該ＬＥＤランプ１０９を消灯あるいは点滅させることができる。
【０１１２】
このようなスイッチ操作監視装置１００によれば、通常動作状態であるか通常動作状態以外の状態であるか、すなわち、供給状態であるか遮断状態であるかを、作業者が目視により容易かつ確実に確認することができる。これによって、巡視などＮＦＢ２１２の状態を確認する作業の効率を向上させ、確認結果の信頼性を向上させることができる。
【０１１３】
また、この発明にかかる実施の形態のスイッチ操作監視装置１００は、火災報知器や天井クレーンのＮＦＢ２１１、２１２が通常動作状態以外の状態に切り替わってからの経過時間が所定時間に達した場合、当該経過時間が所定時間に達したことを報知するようにしたことを特徴としている。
【０１１４】
この発明にかかる実施の形態のスイッチ操作監視装置１００によれば、操作する際に通常動作状態とは異なる状態にした火災報知器や天井クレーンのＮＦＢ２１１、２１２を通常動作状態に戻す操作を忘れたり、天井クレーンのＮＦＢ２１２のみを戻して火災報知器のＮＦＢ２１１を戻すことを忘れるなどの操作漏れを防止し、常時、火災報知器や天井クレーンのＮＦＢ２１１、２１２を通常動作状態にしておくことができる。
【０１１５】
また、この発明にかかる実施の形態のスイッチ操作監視装置１００は、火災報知器のＮＦＢ２１１が通常動作状態（供給状態）であって、かつ、天井クレーンのＮＦＢ２１２所定範囲内に人体が所在する場合、天井クレーンのＮＦＢ２１２の周囲に警告用の音声を出力するようにしたことを特徴としている。
【０１１６】
この発明にかかる実施の形態のスイッチ操作監視装置１００によれば、火災報知器のＮＦＢ２１１を遮断状態にしない状態で天井クレーンのＮＦＢ２１２の周囲に人体（作業員）が立ち入った場合に、天井クレーンのＮＦＢ２１２の周囲に警告用の音声を出力することができる。これによって、この発明にかかる実施の形態のスイッチ操作監視装置１００によれば、火災報知器のＮＦＢ２１１を遮断状態にしない状態で天井クレーンを操作することを確実に防止することができる。
【０１１７】
そして、これによって、この発明にかかる実施の形態のスイッチ操作監視装置１００によれば、天井クレーンのＮＦＢ２１２や火災報知器のＮＦＢ２１１の操作忘れや操作漏れを防止することができ、これらの電気負荷のＮＦＢ（火災報知器や天井クレーンのＮＦＢ２１１、２１２）の操作をともなう作業を安全かつ円滑におこなうことができる。
【０１１８】
また、この発明にかかる実施の形態のスイッチ操作監視装置１００は、火災報知器のＮＦＢ２１１が通常動作状態ではない（遮断状態である）場合は警告用の音声を出力しないようにしたことを特徴としている。
【０１１９】
この発明にかかる実施の形態のスイッチ操作監視装置１００によれば、適切な状況においてのみ警告用の音声を出力することにより、警告用の音声が不必要に出力されることによって作業者を驚かせたりすることを防止し、天井クレーンのＮＦＢ２１２の操作をともなわずにおこなう当該天井クレーンのＮＦＢ２１２の近傍での作業性を確保することができる。
【０１２０】
また、この発明にかかる実施の形態のスイッチ操作監視装置１００は、天井クレーンのＮＦＢ２１２の所定範囲内に所在する人体がないと判断した場合、火災報知器が供給状態である場合、警告用の音声を出力しないようにしたことを特徴としている。また、火災報知機が遮断状態である場合は、所定範囲内に所在する人体の有無にかかわらず警告用の音声を出力することを特徴としている。
【０１２１】
この発明にかかる実施の形態のスイッチ操作監視装置１００によれば、天井クレーンのＮＦＢ２１２の操作をともなわずに当該クレーンのＮＦＢ近傍で作業する作業者が、天井クレーンのＮＦＢ２１２の所定範囲内に立ち入った場合であっても、当該作業者がクレーンのＮＦＢの所定範囲から退出した場合は警告用の音声を直ちに停止することができる。これによって、この発明にかかる実施の形態のスイッチ操作監視装置１００によれば、音声による警告を必要最小限とし、天井クレーンのＮＦＢ２１２の周囲における作業性を確保することができる。
【０１２２】
また、この発明にかかる実施の形態のスイッチ操作監視装置１００は、天井クレーンのＮＦＢ２１２が供給状態から遮断状態に切り替わった場合に、天井クレーンのＮＦＢ２１２の周囲において火災報知器のＮＦＢ２１１を通常動作状態とすることを促す案内用の音声を出力するようにしたことを特徴としている。
【０１２３】
この発明にかかる実施の形態のスイッチ操作監視装置１００によれば、天井クレーンのＮＦＢ２１２のみを戻して火災報知器のＮＦＢ２１１を戻すことを忘れるなどの操作漏れを防止することができる。これによって、この発明にかかる実施の形態のスイッチ操作監視装置１００によれば、天井クレーンや火災報知器などの電気負荷のＮＦＢ２１１、２１２を通常動作状態にしておくことができるので、各電気負荷が本来目的とする機能を実現するよう各電気負荷を正常に動作させることができる。
【０１２４】
このように、この発明にかかる実施の形態のスイッチ操作監視装置１００によれば、天井クレーンや火災報知器などの電気負荷のＮＦＢ２１１、２１２が接続された各電気負荷が本来目的とする機能を実現するよう、各電気負荷を正常に動作させることができるので、電気の供給責務に対する信頼性の向上を図ることができる。
【０１２５】
また、この発明にかかるスイッチ操作監視装置は、開閉機器であるＮＦＢ遮断器単体に、ＩＣ機能を活用して、上述したスイッチ操作監視装置１００に相当する機能を有した回路を内蔵することによって実現されるものであってもよい。
【産業上の利用可能性】
【０１２６】
以上のように、この発明にかかるスイッチ操作監視装置は、配線用遮断器の動作状態を監視するスイッチ操作監視装置に有用であり、特に、複数の配線用遮断器の動作状態を監視するスイッチ操作監視装置に適している。
【符号の説明】
【０１２７】
１００  スイッチ操作監視装置
２０１  記憶部
２０２  第１の通電判断部
２０３  第２の通電判断部
２０４  状態判断部
２０５  態様報知部
２０６  計時部
２０７  経過時間判断部
２０８  所在判断部
２０９  警告音声出力部
２１０  切り替え検出部
【図１】
2014192059.tif 000003
【図２】
2014192059.tif 000004
【図３−１】
2014192059.tif 000005
【図３−２】
2014192059.tif 000006
【図３−３】
2014192059.tif 000007
【図４】
2014192059.tif 000008